(57)【要約】【課題】  本発明は、複数回に分けて印刷を行う際に自身の印刷物と他人の印刷物との混在を防ぐようにした印刷システムおよび印刷指示装置および印刷装置を提供する。【解決手段】  ユーザＡはまず、ホスト端末１０上から印刷先となる印刷装置２０に対して溜め込み指示を送信する。この指示に続いてユーザＡは印刷を複数回指示することになる。なお、この印刷指示とともに当該指示に係わる印刷データが順次印刷装置２０へと送られることになるが、溜め込み印刷の場合印刷は直ぐに開始されず印刷の実行が保留される。  印刷指示を終えるとユーザは、当該印刷装置２０に対して排出指示を送信する。これに伴って印刷装置２０は、当該ユーザから複数回指示された印刷指示に係わる印刷データに対する印刷を連続して行う。すなわち、複数回に分けて指示された印刷が連続して実行される。【選択図】  図１
2008059139.tif 000002
【特許請求の範囲】
【請求項１】
印刷指示を行う印刷指示装置と、
前記印刷指示装置からの印刷指示に基づき印刷を実行する印刷装置と
を具備し、
前記印刷指示装置は、
印刷指示に係わる印刷情報を前記印刷装置に送信する送信手段と、
前記送信手段により前記印刷装置に送信した自装置からの印刷指示に係わる印刷情報の印刷の保留を前記印刷装置に指示する第１の指示手段と、
前記印刷装置に保留された自装置からの印刷指示に係わる印刷情報の一括排出を指示する第２の指示手段と
を具備し、
前記印刷装置は、
前記第１の指示手段による指示の後、前記第２の指示手段からの指示が送られて来るまでの間に前記送信手段により送られた該当印刷情報の印刷を保留する保留手段と、
前記第２の指示手段からの指示に基づき前記保留手段により保留された該当の印刷情報を連続して印刷する印刷手段と
を具備する印刷システム。
【請求項２】
印刷指示に係わる印刷情報を印刷装置に送信する送信手段と、
前記送信手段により前記印刷装置に送信した自装置からの印刷指示に係わる印刷情報の印刷の保留を前記印刷装置に指示する第１の指示手段と、
前記第１の指示手段による指示の後、前記印刷装置で印刷が保留された自装置からの印刷指示に係わる印刷情報の一括排出を指示する第２の指示手段と
を具備する印刷指示装置。
【請求項３】
印刷指示を行う印刷指示装置からの印刷指示に係わる印刷情報を保留する第１の指示を受信する第１の受信手段と、
前記第１の受信手段で受信した前記第１の指示の後、前記印刷指示装置からの印刷指示に係わる印刷情報の印刷を保留する保留手段と、
前記保留手段により保留された前記印刷指示装置からの印刷指示に係わる印刷情報の一括排出を指示する第２の指示を受信する第２の受信手段と、
前記第２の受信手段で受信した前記第２の指示に基づき前記保留手段により保留された該当の印刷情報を連続して印刷する印刷手段と
を具備する印刷装置。
【請求項４】
印刷指示を行う印刷指示装置と、
前記印刷指示装置からの印刷指示に基づき印刷を実行する印刷装置と
を具備し、
前記印刷指示装置は、
印刷の保留を指示する保留情報を含ませて印刷指示に係わる印刷情報を生成する生成手段と、
前記生成手段により生成された印刷情報を前記印刷装置に送信する送信手段と、
前記印刷装置に保留された自装置からの印刷指示に係わる印刷情報の一括排出を指示する指示手段と
を具備し、
前記印刷装置は、
前記送信手段により送られた前記保留情報が含まれる該当印刷情報の印刷を保留する保留手段と、
前記指示手段からの指示に基づき前記保留手段により保留された該当の印刷情報を連続して印刷する印刷手段と
を具備する印刷システム。
【請求項５】
印刷の保留を指示する保留情報を含ませて印刷指示に係わる印刷情報を生成する生成手段と、
前記生成手段により生成された印刷情報を印刷装置に送信する送信手段と、
前記印刷装置で印刷が保留された自装置からの保留情報を含ませた印刷指示に係わる印刷情報の一括排出を指示する指示手段と
を具備する印刷指示装置。
【請求項６】
印刷指示装置からの印刷指示に係わる印刷情報を受信する受信手段と、
前記受信手段により受信した保留情報が含まれる印刷情報の印刷を保留する保留手段と、
前記保留手段により保留された前記印刷指示装置からの保留情報を含ませた印刷指示に係わる印刷情報の一括排出を指示する排出指示を受信する排出指示受信手段と、
前記排出指示受信手段で受信した排出指示に基づき前記保留手段により保留された該当の印刷情報を連続して印刷する印刷手段と
を具備する印刷装置。
【発明の詳細な説明】
【技術分野】
【０００１】
本発明は、印刷システムおよび印刷指示装置および印刷装置に関する。
【背景技術】
【０００２】
複数のユーザが印刷を行うようなオフィス（企業、官公庁）、学校等においては、複数のユーザでネットワーク等に接続された１または複数の印刷装置を共用して利用できる印刷環境が構築されている。
【０００３】
このような印刷環境においては、複数のユーザで印刷装置を共用して利用することになるので、自身の印刷物と他人の印刷物とが混在して印刷されてしまうことがある。そのため、自身の印刷物と他人の印刷物との区切りが判らず誤って他人の印刷物を持ち去ったり、区切りを判断するために一枚ずつ内容を確認したりする煩わしさがあった。
【０００４】
そこで、このような問題を解消するために、排出トレイを複数持つソーター機能を利用したり、オフセット機能を利用して排出時の位置を変えたりする手段が採られることが多い。
【０００５】
また、自身の印刷物をまとめて排出するようにすればこのような問題に対処することができる。これに関連して例えば、特許文献１には、着脱可能なメモリに複数の印刷ジョブを蓄積し、その中から印刷を所望する印刷ジョブを選択してまとめて印刷する技術について言及されている。
【特許文献１】特開２００１−２７０１６３号
【発明の開示】
【発明が解決しようとする課題】
【０００６】
本発明は、複数回に分けて印刷を行う際に自身の印刷物と他人の印刷物との混在を防ぐようにした印刷システムおよび印刷指示装置および印刷装置を提供することを目的とする。
【課題を解決するための手段】
【０００７】
上記目的を達成するため、請求項１の印刷システムの発明は、印刷指示を行う印刷指示装置と、前記印刷指示装置からの印刷指示に基づき印刷を実行する印刷装置とを具備し、前記印刷指示装置は、印刷指示に係わる印刷情報を前記印刷装置に送信する送信手段と、前記送信手段により前記印刷装置に送信した自装置からの印刷指示に係わる印刷情報の印刷の保留を前記印刷装置に指示する第１の指示手段と、前記印刷装置に保留された自装置からの印刷指示に係わる印刷情報の一括排出を指示する第２の指示手段とを具備し、前記印刷装置は、前記第１の指示手段による指示の後、前記第２の指示手段からの指示が送られて来るまでの間に前記送信手段により送られた該当印刷情報の印刷を保留する保留手段と、前記第２の指示手段からの指示に基づき前記保留手段により保留された該当の印刷情報を連続して印刷する印刷手段とを具備する。
【０００８】
また、請求項２の印刷指示装置の発明は、印刷指示に係わる印刷情報を印刷装置に送信する送信手段と、前記送信手段により前記印刷装置に送信した自装置からの印刷指示に係わる印刷情報の印刷の保留を前記印刷装置に指示する第１の指示手段と、前記第１の指示手段による指示の後、前記印刷装置で印刷が保留された自装置からの印刷指示に係わる印刷情報の一括排出を指示する第２の指示手段とを具備する。
【０００９】
また、請求項３の印刷装置の発明は、印刷指示を行う印刷指示装置からの印刷指示に係わる印刷情報を保留する第１の指示を受信する第１の受信手段と、前記第１の受信手段で受信した前記第１の指示の後、前記印刷指示装置からの印刷指示に係わる印刷情報の印刷を保留する保留手段と、前記保留手段により保留された前記印刷指示装置からの印刷指示に係わる印刷情報の一括排出を指示する第２の指示を受信する第２の受信手段と、前記第２の受信手段で受信した前記第２の指示に基づき前記保留手段により保留された該当の印刷情報を連続して印刷する印刷手段とを具備する。
【００１０】
また、請求項４の印刷システムの発明は、印刷指示を行う印刷指示装置と、前記印刷指示装置からの印刷指示に基づき印刷を実行する印刷装置とを具備し、前記印刷指示装置は、印刷の保留を指示する保留情報を含ませて印刷指示に係わる印刷情報を生成する生成手段と、前記生成手段により生成された印刷情報を前記印刷装置に送信する送信手段と、前記印刷装置に保留された自装置からの印刷指示に係わる印刷情報の一括排出を指示する指示手段とを具備し、前記印刷装置は、前記送信手段により送られた前記保留情報が含まれる該当印刷情報の印刷を保留する保留手段と、前記指示手段からの指示に基づき前記保留手段により保留された該当の印刷情報を連続して印刷する印刷手段とを具備する。
【００１１】
また、請求項５の印刷指示装置の発明は、印刷の保留を指示する保留情報を含ませて印刷指示に係わる印刷情報を生成する生成手段と、前記生成手段により生成された印刷情報を印刷装置に送信する送信手段と、前記印刷装置で印刷が保留された自装置からの保留情報を含ませた印刷指示に係わる印刷情報の一括排出を指示する指示手段とを具備する。
【００１２】
また、請求項６の印刷装置の発明は、印刷指示装置からの印刷指示に係わる印刷情報を受信する受信手段と、前記受信手段により受信した保留情報が含まれる印刷情報の印刷を保留する保留手段と、前記保留手段により保留された前記印刷指示装置からの保留情報を含ませた印刷指示に係わる印刷情報の一括排出を指示する排出指示を受信する排出指示受信手段と、前記排出指示受信手段で受信した排出指示に基づき前記保留手段により保留された該当の印刷情報を連続して印刷する印刷手段とを具備する。
【発明の効果】
【００１３】
請求項１〜３の発明によれば、複数回に分けて印刷を行う際に他人の印刷物と自身の印刷物とが混在しないので、印刷装置から排出された印刷物の中から自身の印刷物を迅速かつ容易に見つけることができる。
【００１４】
また、請求項４〜６の発明によれば、保留情報を含ませずに印刷を指示した場合には、自装置からの印刷指示に係わる印刷情報が保留中であってもその印刷だけを先に行わせることができる。
【発明を実施するための最良の形態】
【００１５】
以下、本発明に係わる印刷システムおよび印刷指示装置および印刷装置の実施例について添付図面を参照して詳細に説明する。
【実施例１】
【００１６】
図１は、本発明に係わる印刷システムの全体構成の一例を示す図である。
【００１７】
この印刷システムは、ＬＡＮ（Local Area Network）やＷＡＮ（Wide Area Network）等で構成されたネットワーク３０を介して複数のホスト端末１０と、１または複数の印刷装置２０とが接続されている。
【００１８】
ここで、ホスト端末１０は、ユーザが扱う汎用的なパーソナルコンピュータ等であり、ネットワーク３０上に複数台設けられる。ユーザが、このホスト端末１０上からいずれかの印刷装置２０を指定して印刷を指示すると、この指示に係わる印刷データ（印刷情報）が生成され、この印刷データが指定された印刷装置２０で印刷される。この複数のホスト端末１０は、それぞれユーザＡ、ユーザＢ、・・・ユーザＮによって利用されることとする。
【００１９】
印刷装置２０は、ネットワーク３０上に１または複数台設けられ、ホスト端末１０から送られてくる印刷データを受信して当該データに基づき印刷を行う。印刷装置２０は、複数のユーザによって共用して利用される。なお、本実施例においては、複数台の印刷装置２０を複数のユーザで共用して利用する場合について説明する。
【００２０】
さて、複数のドキュメントに跨って印刷を行う場合等には、複数回印刷を指示する必要がある。このとき、その印刷指示途中で他のユーザが印刷を指示した場合には互いの印刷物が混在してしまう。そこで、このような複数回に分けて印刷を指示する必要がある場合には溜め込み印刷機能を用いる。
【００２１】
ここで、例えば、ユーザＡが溜め込み印刷を行うとする。この場合ユーザＡはまず、ホスト端末１０上から印刷先となる印刷装置２０に対して溜め込み指示を送信する。この指示の後、ユーザＡは印刷を複数回指示することになる。なお、この印刷指示とともに当該指示に係わる印刷データが順次印刷装置２０へと送られることになるが、溜め込み印刷の場合印刷は直ぐに開始されず印刷の実行が保留される。
【００２２】
印刷指示を終えるとユーザは、当該印刷装置２０に対して排出指示を送信する。これに伴って印刷装置２０は、当該ユーザから複数回指示された印刷指示に係わる印刷データに対する印刷を連続して行う。すなわち、複数回に分けて指示された印刷が連続して実行される。なお、この溜め込み印刷中に他のユーザから溜め込み印刷以外の印刷が指示されたとしても、その印刷は従来通り保留されず直ぐに行われる。
【００２３】
図２は、図１で説明した印刷システムの機能的な構成の一部について説明する図である。
【００２４】
まず、ホスト端末１０について説明する。ホスト端末１０は、その機能構成として、印刷指示部１１と、印刷データ生成部１２と、通信部（ホスト端末）１３と、溜め込み指示部１４と、排出指示部１５とを具備して構成される。
【００２５】
印刷指示部１１は、ユーザ操作に基づいて印刷指示を発行する機能を果たす。このとき、印刷先となる印刷装置２０の指定も行われる。印刷データ生成部１２は、印刷データを生成する機能を果たす。印刷データ生成部１２では、印刷指示の発行に対応して印刷先となる印刷装置２０が解釈可能な形式の印刷データを生成する。
【００２６】
通信部（ホスト端末）１３は、ホスト端末１０とネットワーク３０とを繋ぐ通信インターフェースとしての機能を果たす。ホスト端末１０では、この通信部（ホスト端末）１３を介して印刷装置２０へ印刷データ等を送信する。
【００２７】
溜め込み指示部１４は、ホスト端末１０（自装置）からの印刷指示に係わる印刷データに対する印刷の保留を指示する溜め込み指示を送信する機能を果たし、排出指示部１５は、溜め込み指示により保留された印刷データの一括排出を指示する排出指示を送信する機能を果たす。以上が、ホスト端末１０を構成する各種処理機能の説明である。
【００２８】
次に、印刷装置２０について説明する。印刷装置２０は、その機能構成として、通信部（印刷装置）２１と、ジョブ管理部２２と、キュー２３と、印刷部２４とを具備して構成される。
【００２９】
通信部（印刷装置）２１は、印刷装置２０とネットワーク３０とを繋ぐ通信インターフェースとしての機能を果たす。印刷装置２０では、この通信部（印刷装置）２１を介してホスト端末１０から印刷データ等を受信する。
【００３０】
キュー２３は、ホスト端末１０から送られてきた印刷データを先入れ先出し法で管理する機能を果たす。すなわち、このキュー２３で管理された印刷データは、基本的に先に格納された印刷データから順番に印刷が行われる。なお、溜め込み印刷の対象となる印刷データは、キュー２３において保留状態で管理され、排出指示とともにその保留状態が解除されて印刷されることになる。
【００３１】
ジョブ管理部２２は、キュー２３に格納された印刷データを印刷ジョブとして管理する機能を果たす。ジョブ管理部２２では、溜め込み指示の後排出指示が送られて来るまでの間に、当該溜め込み指示を送信したユーザから送られてきた印刷データを溜め込み印刷ジョブとして管理し、それ以外の印刷ジョブを通常印刷ジョブとして管理する。なお、本実施例において印刷ジョブと言う場合には、溜め込み印刷ジョブと通常印刷ジョブの両方を指す。
【００３２】
ジョブ管理部２２では、ジョブ管理テーブルを用いて印刷ジョブを管理する。ここで、ジョブ管理テーブルの一例を図３に示す。この図３に示すジョブ管理テーブルを参照すると、ユーザＢやユーザＣからの印刷ジョブは通常印刷ジョブであるため、直ぐに排出されていることが分かる。これに対してユーザＡからは溜め込み指示が送られてきているため、その溜め込み指示の後排出指示が送られて来るまでの間にユーザＡから指示されたジョブＡ１、ジョブＡ２、ジョブＡ３は、排出指示が行われた時点で連続して排出されていることが分かる。なお、印刷ジョブに対する印刷（排出）は、印刷ジョブ管理部２２から印刷部２４へ印刷ジョブと対応する印刷データが送られることで行われる。
【００３３】
印刷部２４は、用紙等の記録媒体上に印刷を行う機能を果たす。印刷部２４における印刷は、ジョブ管理部２２から送られてくる印刷データに基づき行われる。以上が、印刷装置２０を構成する各種処理機能の説明である。
【００３４】
ここで、図４および図５を用いて、図１および図２に示す印刷システムにおいて印刷を行う場合の動作について説明する。なお、図４にはホスト端末１０側の動作が、図５には印刷装置２０側の動作がフローチャートとして示される。
【００３５】
まず、図４を用いて、ホスト端末１０において溜め込み印刷を指示する場合の動作について説明する。
【００３６】
溜め込み印刷を行う場合、ユーザはまず、キーボードやマウス等を用いて溜め込み印刷を指示する。この指示が行われると、ホスト端末１０の溜め込み指示部１４から溜め込み指示が送信され、これが通信部（ホスト端末）１３を介して印刷装置２０へと送られる（ステップＳ１０１）。
【００３７】
この指示に続いてユーザは、キーボードやマウス等を用いて溜め込み印刷の対象となる印刷を指示する。この指示が行われると、ホスト端末１０の印刷指示部１１から印刷データ生成部１２に対して印刷指示が発行され（ステップＳ１０２）、これを受けた印刷データ生成部１２が、当該指示に係わる印刷データを生成する（ステップＳ１０３）。この生成された印刷データが、通信部（ホスト端末）１３を介して印刷装置２０へと送られる（ステップＳ１０４）。このステップＳ１０２からステップＳ１０４までの処理は、溜め込み印刷の対象となる印刷の指示が終了するまで繰り返し行われる（ステップＳ１０５でＮＯ）。
【００３８】
ここで、溜め込み印刷の対象となる印刷の指示が終了すると（ステップＳ１０５でＹＥＳ）、ユーザは次に、キーボードやマウス等を用いて印刷の実行を指示する。この指示が行われると、ホスト端末１０の排出指示部１５から排出指示が送信され、これが通信部（ホスト端末）１３を介して印刷装置へと送られる（ステップＳ１０６）。そして、この処理は終了する。
【００３９】
次に、図５を用いて、印刷装置２０において印刷を行う場合の動作について説明する。
【００４０】
印刷装置２０は、通信部（印刷装置）２１において、溜め込み指示および印刷データを受信するまで待機している（ステップＳ２０１でＮＯの後、ステップＳ２０２でＮＯ）。この受信待機中に印刷データを受信すると（ステップＳ２０２でＹＥＳ）、ジョブ管理部２２は、キュー２３において、この印刷データを通常印刷ジョブとして管理する。そして、印刷の順番が来たところで当該印刷ジョブと対応する印刷データを印刷部２４に転送し、この転送を受けた印刷部２４が、当該印刷データに基づく印刷を行う（ステップＳ２０３）。その後、印刷装置２０は再び、ステップＳ２０１の処理に戻る。
【００４１】
また、ステップＳ２０１およびステップＳ２０２における受信待機中に、溜め込み指示を受信した場合（ステップＳ２０１でＹＥＳ）、印刷装置２０は、通信部（印刷装置）２１において、印刷データおよび排出指示を受信するまで待機することになる（ステップＳ２０４でＮＯの後、ステップＳ２０５でＮＯ）。ここで、この受信待機中に印刷データを受信すると（ステップＳ２０４でＹＥＳ）、ジョブ管理部２２は、溜め込み印刷を指示したユーザから送られてきた印刷データであるか否かを判断することで、受信した印刷データが、溜め込み印刷の対象となる印刷データであるか否かの判断を行う。
【００４２】
この判断の結果、受信した印刷データが溜め込み印刷の対象でない場合（ステップＳ２０６でＮＯ）、ジョブ管理部２２は、キュー２３において、この印刷データを通常印刷ジョブとして管理する。そして、印刷の順番が来たところで当該印刷ジョブと対応する印刷データを印刷部２４に転送し、この転送を受けた印刷部２４が、当該印刷データに基づく印刷を行うことになるが（ステップＳ２０３）、受信した印刷データが溜め込み印刷の対象となる場合には（ステップＳ２０６でＹＥＳ）、ジョブ管理部２２は、キュー２３において、この印刷データを保留状態にして溜め込み印刷ジョブとして管理する（ステップＳ２０７）。
【００４３】
また、ステップＳ２０４およびステップＳ２０５における受信待機中に、排出指示を受信した場合（ステップＳ２０４でＮＯの後、ステップＳ２０５でＹＥＳ）、ジョブ管理部２２は、キュー２３で保留状態にした溜め込み印刷ジョブと対応する印刷データをまとめて印刷部２４に転送し、この転送を受けた印刷部２４が、当該印刷データに基づく印刷を連続して行う（ステップＳ２０８）。その後、印刷装置２０は再び、ステップＳ２０１の処理に戻る。
【実施例２】
【００４４】
次に、実施例２について説明する。上記実施例１においては、溜め込み指示の後排出指示が送られて来るまでの間に指示された印刷を溜め込み印刷の対象とする場合について説明したが、実施例２においては、溜め込み指示を印刷指示と別個に行うのではなく、印刷指示に係わる印刷データに溜め込み指示（保留情報）を含ませる。この場合、ユーザから溜め込み印刷が指示されると、溜め込み指示部１４は、溜め込み指示を印刷データ生成部１２に対して発行し、これを受けた印刷データ生成部１２が、溜め込み指示を含ませた印刷データを生成する。
【００４５】
ここで、ジョブ管理部２２では、図６に示すジョブ管理テーブルを用いて印刷ジョブを管理する。この図６に示すジョブ管理テーブルを参照すると、ユーザＢやユーザＣからの印刷ジョブは通常印刷ジョブであるため、直ぐに排出されていることが分かる。また、ユーザＡからのジョブＡ２に対する印刷は、印刷データ内に溜め込み指示が含まれていないため、ユーザＢ、ユーザＣからの印刷ジョブ同様に直ぐに印刷されることになるが、溜め込み指示が含まれた、ジョブＡ１、ジョブＡ３、ジョブＡ４は、排出指示が行われた時点で連続して排出されていることが分かる。
【００４６】
ここで、図７および図８を用いて、この溜め込み指示を印刷データに含ませた場合の印刷システムにおける印刷の動作について説明する。なお、図７にはホスト端末１０側の動作が、図８には印刷装置２０側の動作がフローチャートとして示される。
【００４７】
まず、図７を用いて、ホスト端末１０において溜め込み印刷を指示する場合の動作について説明する。
【００４８】
ユーザはまず、キーボードやマウス等を用いて溜め込み印刷を行うか否かを指定して印刷を指示する。この指示が行われると、ホスト端末１０の印刷指示部１１から印刷データ生成部１２に対して印刷指示が発行される（ステップＳ３０１）。この指示とともに印刷データ生成部１２において印刷データが生成されることになるが（ステップＳ３０２でＮＯの後、ステップＳ３０３）、溜め込みが指示された場合には（ステップＳ３０２でＹＥＳ）、溜め込み指示が含まれた印刷データが生成される（ステップＳ３０４）。この生成された印刷データが、通信部（ホスト端末）１３を介して印刷装置２０へと送られる（ステップＳ３０５）。このステップＳ３０１からステップＳ３０５までの処理は、印刷の指示が終了するまで繰り返し行われる（ステップＳ３０６でＮＯ）。
【００４９】
ここで、印刷の指示が終了すると（ステップＳ３０６でＹＥＳ）、ユーザは次に、キーボードやマウス等を用いて印刷の実行を指示する。この指示が行われると、ホスト端末１０の排出指示部１５から排出指示が送信され、これが通信部（ホスト端末）１３を介して印刷装置へと送られる（ステップＳ３０７）。そして、この処理は終了する。
【００５０】
次に、図８を用いて、印刷装置２０において印刷を行う場合の動作について説明する。
【００５１】
印刷装置２０は、通信部（印刷装置）２１において、排出指示および印刷データを受信するまで待機している（ステップＳ４０１でＮＯの後、ステップＳ４０２でＮＯ）。ここで、この受信待機中に印刷データを受信すると（ステップＳ４０１でＮＯの後、ステップＳ４０２でＹＥＳ）、ジョブ管理部２２は、印刷データに溜め込み指示が含まれているか否かを判断することで、受信した印刷データが、溜め込み印刷の対象となる印刷データであるか否かの判断を行う。
【００５２】
この判断の結果、受信した印刷データが溜め込み印刷の対象となる場合には（ステップＳ４０３でＹＥＳ）、ジョブ管理部２２は、キュー２３において、この印刷データを保留状態にして溜め込み印刷ジョブとして管理することになるが（ステップＳ４０５）、受信した印刷データが溜め込み印刷の対象でない場合には（ステップＳ４０３でＮＯ）、ジョブ管理部２２は、キュー２３において、この印刷データを通常印刷ジョブとして管理する。そして、印刷の順番が来たところで当該印刷ジョブと対応する印刷データを印刷部２４に転送し、この転送を受けた印刷部２４が、当該印刷データに基づく印刷を行う（ステップＳ４０６）。その後、印刷装置２０は再び、ステップＳ４０１の処理に戻る。
【００５３】
ところで、ステップＳ４０１およびステップＳ４０２における受信待機中に、排出指示を受信した場合には（ステップＳ４０１でＹＥＳ）、ジョブ管理部２２は、キュー２３で保留状態にした溜め込み印刷ジョブと対応する印刷データをまとめて印刷部２４に転送し、この転送を受けた印刷部２４が、当該印刷データに基づく印刷を連続して行う（ステップＳ４０４）。その後、印刷装置２０は再び、ステップＳ４０１の処理に戻る。
【００５４】
以上が本発明の代表的な実施形態の一例であるが、本発明は、上記および図面に示す実施例に限定することなく、その要旨を変更しない範囲内で適宜変形して実施できるものである。
【００５５】
例えば、上記実施例１および２において説明したホスト端末１０、印刷装置２０における処理を、コンピュータにインストールされた制御プログラムにより実施するように構成してもよい。なお、この制御プログラムは、ネットワーク等の通信手段により提供することはもちろん、ＣＤ−ＲＯＭ等の記録媒体に格納して提供することも可能である。
【産業上の利用可能性】
【００５６】
本発明の印刷システムおよび印刷指示装置および印刷装置は、印刷装置を配する印刷システム、および印刷装置に対し印刷指示を行う印刷指示装置、および印刷装置全般に適用可能である。
【図面の簡単な説明】
【００５７】
【図１】本発明に係わる印刷システムの全体構成の一例を示す図である。
【図２】図１に示す印刷システムの機能的な構成の一部を示す図である。
【図３】ジョブ管理テーブルのテーブルレイアウトの一例を示す図である。
【図４】図１および図２に示すホスト端末１０における動作を示すフローチャートである。
【図５】図１および図２に示す印刷装置２０における動作を示すフローチャートである。
【図６】実施例２に係わるジョブ管理テーブルのテーブルレイアウトの一例を示す図である。
【図７】実施例２に係わるホスト端末１０における動作を示すフローチャートである。
【図８】実施例２に係わる印刷装置２０における動作を示すフローチャートである。
【符号の説明】
【００５８】
１０    ホスト端末
１１    通信部（ホスト端末）
１２    印刷データ生成部
１３    印刷指示部
１４    溜め込み指示部
１５    排出指示部
２０    印刷装置
２１    通信部（印刷装置）
２２    ジョブ管理部
２３    キュー
２４    印刷部
３０    ネットワーク
【図１】
2008059139.tif 000003
【図２】
2008059139.tif 000004
【図３】
2008059139.tif 000005
【図４】
2008059139.tif 000006
【図５】
2008059139.tif 000007
【図６】
2008059139.tif 000008
【図７】
2008059139.tif 000009
【図８】
2008059139.tif 000010